(57)【要約】  本願実施例は無線通信方法及び通信装置を提供し、複数の時間ユニットのデータに対するフィードバックを実現することができる。該方法は、データを伝送することに用いられる複数の第１時間ユニットにおける少なくとも１つの第１時間ユニットの時間領域位置に基づいて、１つの第２時間ユニットを決定することと、前記１つの第２時間ユニットを利用してフィードバック情報を伝送し、前記フィードバック情報は前記複数の第１時間ユニットにおいて伝送されるデータに対するフィードバック情報であることと、を含む。
2021516496.tif 000002
【特許請求の範囲】
【請求項１】
無線通信方法であって、
データを伝送することに用いられる複数の第１時間ユニットにおける少なくとも１つの第１時間ユニットの時間領域位置に基づいて、１つの第２時間ユニットを決定することと、
前記１つの第２時間ユニットを利用してフィードバック情報を伝送し、前記フィードバック情報は前記複数の第１時間ユニットにおいて伝送されるデータに対するフィードバック情報であることと、を含むことを特徴とする無線通信方法。
【請求項２】
前記データを伝送することに用いられる複数の第１時間ユニットにおける少なくとも１つの第１時間ユニットの時間領域位置に基づいて、１つの第２時間ユニットを決定することは、
前記複数の第１時間ユニットにおける最後の第１時間ユニットの時間領域位置に基づいて、前記１つの第２時間ユニットを決定することを含むことを特徴とする請求項１に記載の方法。
【請求項３】
前記複数の第１時間ユニットは１つの伝送ブロック（ＴＢ）を複数回繰り返し伝送することに用いられることを特徴とする請求項１又は２に記載の方法。
【請求項４】
前記フィードバック情報は１つの肯定応答（ＡＣＫ）／否定応答（ＮＡＣＫ）を含み、前記１つのＡＣＫ／ＮＡＣＫは前記複数回繰り返し伝送された１つのＴＢに対応し、又は、
前記フィードバック情報は複数のＡＣＫ／ＮＡＣＫを含み、前記複数のＡＣＫ／ＮＡＣＫは、前記ＴＢに含まれる複数のコードブロックグループ（ＣＢＧ）に１対１に対応することを特徴とする請求項３に記載の方法。
【請求項５】
前記複数の第１時間ユニットは１つの伝送ブロック（ＴＢ）の複数の部分を伝送することに用いられ、前記複数の部分における各部分はそれぞれ１つの第１時間ユニットを占有することを特徴とする請求項１又は２に記載の方法。
【請求項６】
前記フィードバック情報は１つのＡＣＫ／ＮＡＣＫを含み、前記１つのＡＣＫ／ＮＡＣＫは前記１つのＴＢに対応し、又は、
前記フィードバック情報は複数のＡＣＫ／ＮＡＣＫを含み、前記複数のＡＣＫ／ＮＡＣＫは、前記ＴＢに含まれる複数のＣＢＧに１対１に対応し、
前記フィードバック情報は複数のＡＣＫ／ＮＡＣＫを含み、前記複数のＡＣＫ／ＮＡＣＫは、前記ＴＢに含まれる前記複数の部分に１対１に対応することを特徴とする請求項５に記載の方法。
【請求項７】
前記第１時間ユニットはシンボル、タイムスロット、サブタイムスロット、ハーフタイムスロット、又はサブフレームであることを特徴とする請求項１〜６のいずれか１項に記載の方法。
【請求項８】
前記第２時間ユニットはシンボル、タイムスロット、サブタイムスロット、ハーフタイムスロット、又はサブフレームであることを特徴とする請求項１〜７のいずれか１項に記載の方法。
【請求項９】
前記第１時間ユニットと前記第２時間ユニットの粒度は同じであり、又は、
前記第１時間ユニットと前記第２時間ユニットの粒度は異なることを特徴とする請求項１〜８のいずれか１項に記載の方法。
【請求項１０】
前記第１時間ユニットと前記第２時間ユニットの粒度が異なる場合、
前記データを伝送することに用いられる複数の第１時間ユニットにおける少なくとも１つの第１時間ユニットの時間領域位置に基づいて、１つの第２時間ユニットを決定することは、
前記少なくとも１つの第１時間ユニットの所属する第２時間ユニットの時間領域位置に基づいて、前記１つの第２時間ユニットを決定することを含むことを特徴とする請求項１〜９のいずれか１項に記載の方法。
【請求項１１】
フィードバック情報を伝送することに用いられる前記１つの第２時間ユニットは第ｎ＋ｋ番目の第２時間ユニットであり、第ｎ番目の第２時間ユニットは前記複数の第１時間ユニットにおける最後の第１時間ユニットの所属する第２時間ユニットであることを特徴とする請求項１０に記載の方法。
【請求項１２】
前記第１時間ユニットと前記第２時間ユニットの粒度が同じである場合、フィードバック情報を伝送することに用いられる前記１つの第２時間ユニットは第ｎ＋ｋ番目の第２時間ユニットであり、第ｎ番目の第２時間ユニットは前記複数の第１時間ユニットにおける最後の第１時間ユニットであることを特徴とする請求項１〜９のいずれか１項に記載の方法。
【請求項１３】
前記方法は端末装置によって実行され、前記Ｋは、プロトコルによって前記端末装置上に事前設定され、又はネットワーク側の上位層パラメータを介して前記端末装置に設定され、又はネットワーク側が物理制御情報（ＤＣＩ）を介して前記端末装置に指示したものであることを特徴とする請求項１１又は１２に記載の方法。
【請求項１４】
前記方法はネットワーク装置によって実行され、前記方法は更に、
上位層パラメータを介して前記Ｋを前記端末装置に設定し、又は、
ＤＣＩを介して前記Ｋを前記端末装置に指示することを含むことを特徴とする請求項１１又は１２に記載の方法。
【請求項１５】
前記データを伝送することに用いられる複数の第１時間ユニットにおける少なくとも１つの第１時間ユニットの時間領域位置に基づいて、１つの第２時間ユニットを決定することは、
前記少なくとも１つの第１時間ユニットの時間領域位置、前記第１時間ユニットのサブキャリア間隔、及び前記第２時間ユニットのサブキャリア間隔に基づいて、前記１つの第２時間ユニットを決定することを含むことを特徴とする請求項１〜１４のいずれか１項に記載の方法。
【請求項１６】
前記複数の第１時間ユニットは複数の連続する第１時間ユニットであることを特徴とする請求項１〜１５のいずれか１項に記載の方法。
【請求項１７】
前記データはアップリンクデータであり、又は、
前記データはダウンリンクデータであることを特徴とする請求項１〜１６のいずれか１項に記載の方法。
【請求項１８】
通信装置であって、処理ユニットと通信ユニットを備え、
前記処理ユニットは、データを伝送することに用いられる複数の第１時間ユニットにおける少なくとも１つの第１時間ユニットの時間領域位置に基づいて、１つの第２時間ユニットを決定することに用いられ、
前記通信ユニットは、前記１つの第２時間ユニットを利用してフィードバック情報を伝送し、前記フィードバック情報は前記複数の第１時間ユニットにおいて伝送されるデータに対するフィードバック情報であることに用いられることを特徴とする通信装置。
【請求項１９】
前記処理ユニットは更に、
前記複数の第１時間ユニットにおける最後の第１時間ユニットの時間領域位置に基づいて、前記１つの第２時間ユニットを決定することに用いられることを特徴とする請求項１８に記載の通信装置。
【請求項２０】
前記複数の第１時間ユニットは１つの伝送ブロック（ＴＢ）を複数回繰り返し伝送することに用いられることを特徴とする請求項１８又は１９に記載の通信装置。
【請求項２１】
前記フィードバック情報は１つの肯定応答（ＡＣＫ）／否定応答（ＮＡＣＫ）を含み、前記１つのＡＣＫ／ＮＡＣＫは前記複数回繰り返し伝送された１つのＴＢに対応し、又は、
前記フィードバック情報は複数のＡＣＫ／ＮＡＣＫを含み、前記複数のＡＣＫ／ＮＡＣＫは、前記ＴＢに含まれる複数のコードブロックグループ（ＣＢＧ）に１対１に対応することを特徴とする請求項２０に記載の通信装置。
【請求項２２】
前記複数の第１時間ユニットは１つの伝送ブロック（ＴＢ）の複数の部分を伝送することに用いられ、前記複数の部分における各部分はそれぞれ１つの第１時間ユニットを占有することを特徴とする請求項１８又は１９に記載の通信装置。
【請求項２３】
前記フィードバック情報は１つのＡＣＫ／ＮＡＣＫを含み、前記１つのＡＣＫ／ＮＡＣＫは前記１つのＴＢに対応し、又は、
前記フィードバック情報は複数のＡＣＫ／ＮＡＣＫを含み、前記複数のＡＣＫ／ＮＡＣＫは、前記ＴＢに含まれる複数のＣＢＧに１対１に対応し、
前記フィードバック情報は複数のＡＣＫ／ＮＡＣＫを含み、前記複数のＡＣＫ／ＮＡＣＫは、前記ＴＢに含まれる前記複数の部分に１対１に対応することを特徴とする請求項２２に記載の通信装置。
【請求項２４】
前記第１時間ユニットはシンボル、タイムスロット、サブタイムスロット、ハーフタイムスロット、又はサブフレームであることを特徴とする請求項１８〜２３のいずれか１項に記載の通信装置。
【請求項２５】
前記第２時間ユニットはシンボル、タイムスロット、サブタイムスロット、ハーフタイムスロット、又はサブフレームであることを特徴とする請求項１８〜２４のいずれか１項に記載の通信装置。
【請求項２６】
前記第１時間ユニットと前記第２時間ユニットの粒度は同じであり、又は、
前記第１時間ユニットと前記第２時間ユニットの粒度は異なることを特徴とする請求項１８〜２５のいずれか１項に記載の通信装置。
【請求項２７】
前記第１時間ユニットと前記第２時間ユニットの粒度が異なる場合、
前記処理ユニットは更に、前記少なくとも１つの第１時間ユニットの所属する第２時間ユニットの時間領域位置に基づいて、前記１つの第２時間ユニットを決定することに用いられることを特徴とする請求項１８〜２６のいずれか１項に記載の通信装置。
【請求項２８】
フィードバック情報を伝送することに用いられる前記１つの第２時間ユニットは第ｎ＋ｋ番目の第２時間ユニットであり、第ｎ番目の第２時間ユニットは前記複数の第１時間ユニットにおける最後の第１時間ユニットの所属する第２時間ユニットであることを特徴とする請求項２７に記載の通信装置。
【請求項２９】
前記第１時間ユニットと前記第２時間ユニットの粒度が同じである場合、フィードバック情報を伝送することに用いられる前記１つの第２時間ユニットは第ｎ＋ｋ番目の第２時間ユニットであり、第ｎ番目の第２時間ユニットは前記複数の第１時間ユニットにおける最後の第１時間ユニットであることを特徴とする請求項１８〜２６のいずれか１項に記載の通信装置。
【請求項３０】
前記通信装置は端末装置によって実行され、前記Ｋは、プロトコルによって前記端末装置上に事前設定され、又はネットワーク側の上位層パラメータを介して前記端末装置に設定され、又はネットワーク側が物理制御情報ＤＣＩを介して前記端末装置に指示したものであることを特徴とする請求項２８又は２９に記載の通信装置。
【請求項３１】
前記通信装置はネットワーク装置によって実行され、前記通信装置は更に、
上位層パラメータを介して前記Ｋを前記端末装置に設定し、又は、
ＤＣＩを介して前記Ｋを前記端末装置に指示することを含むことを特徴とする請求項２８又は２９に記載の通信装置。
【請求項３２】
前記処理ユニットは更に、
前記少なくとも１つの第１時間ユニットの時間領域位置、前記第１時間ユニットのサブキャリア間隔、及び前記第２時間ユニットのサブキャリア間隔に基づいて、前記１つの第２時間ユニットを決定することに用いられることを特徴とする請求項１８〜３１のいずれか１項に記載の通信装置。
【請求項３３】
前記複数の第１時間ユニットは複数の連続する第１時間ユニットであることを特徴とする請求項１８〜３２のいずれか１項に記載の通信装置。
【請求項３４】
前記データはアップリンクデータであり、又は、
前記データはダウンリンクデータであることを特徴とする請求項１８〜３３のいずれか１項に記載の通信装置。
【請求項３５】
通信装置であって、プロセッサ及びメモリを備え、該メモリはコンピュータプログラムを記憶することに用いられ、前記プロセッサは前記メモリに記憶されるコンピュータプログラムを呼び出して実行し、請求項１〜１７のいずれか１項に記載の方法を実行することに用いられることを特徴とする通信装置。
【請求項３６】
チップであって、メモリからコンピュータプログラムを呼び出して実行し、それによって、前記チップを搭載した装置に請求項１〜１７のいずれか１項に記載の方法を実行させることに用いられるプロセッサを備えることを特徴とするチップ。
【請求項３７】
コンピュータ可読記憶媒体であって、コンピュータプログラムを記憶することに用いられ、前記コンピュータプログラムはコンピュータに請求項１〜１７のいずれか１項に記載の方法を実行させることを特徴とするコンピュータ可読記憶媒体。
【請求項３８】
コンピュータプログラム製品であって、コンピュータプログラム命令を含み、該コンピュータプログラム命令はコンピュータに請求項１〜１７のいずれか１項に記載の方法を実行させるコンピュータプログラム製品。
【発明の詳細な説明】
【技術分野】
【０００１】
本願は通信分野に関し、具体的に無線通信方法及び通信装置に関する。
【背景技術】
【０００２】
５Ｇシステムでは、タイムスロットアグリゲーションが導入され、即ち、１回のスケジューリング又は１つの伝送ブロックは複数のタイムスロットを占有することができる。
【０００３】
タイムスロットアグリゲーションにおける複数のタイムスロットから伝送されたデータに対してどのようにフィードバックを行うかは、早急に解決すべき課題である。
【発明の概要】
【発明が解決しようとする課題】
【０００４】
本願実施例は無線通信方法及び通信装置を提供し、複数の時間ユニット（例えば、タイムスロット）のデータに対するフィードバックを実現することができる。
【課題を解決するための手段】
【０００５】
第１態様は無線通信方法を提供し、データを伝送することに用いられる複数の第１時間ユニットにおける少なくとも１つの第１時間ユニットの時間領域位置に基づいて、１つの第２時間ユニットを決定することと、前記１つの第２時間ユニットを利用してフィードバック情報を伝送し、前記フィードバック情報は前記複数の第１時間ユニットにおいて伝送されるデータに対するフィードバック情報であることと、を含む。
【０００６】
第２態様は通信装置を提供し、上記第１態様における方法を実行することに用いられる。
【０００７】
具体的に、該装置は上記第１態様における方法を実行するための機能モジュールを備える。
【０００８】
第３態様は、通信装置を提供し、プロセッサ及びメモリを備える。該メモリはコンピュータプログラムを記憶することに用いられ、該プロセッサは該メモリに記憶されるコンピュータプログラムを呼び出して実行し、上記第１態様における方法を実行することに用いられる。
【０００９】
第４態様はチップを提供し、上記第１態様〜第２態様のいずれか一態様における方法を実現することに用いられる。
【００１０】
具体的に、該チップは、メモリからコンピュータプログラムを呼び出して実行し、それによって、該チップを搭載した装置に上記第１態様における方法を実行させることに用いられるプロセッサを備える。
【００１１】
第５態様はコンピュータ可読記憶媒体を提供し、コンピュータプログラムを記憶することに用いられ、該コンピュータプログラムはコンピュータに上記第１態様における方法を実行させる。
【００１２】
第６態様はコンピュータプログラム製品を提供し、コンピュータプログラム命令を含み、該コンピュータプログラム命令はコンピュータに上記第１態様における方法を実行させる。
【００１３】
第７態様は、コンピュータプログラムを提供し、それがコンピュータにおいて実行される時、コンピュータは上記第１態様における方法を実行する。
【００１４】
従って、本願実施例では、データを伝送することに用いられる複数の第１時間ユニットにおける少なくとも１つの第１時間ユニットの時間領域位置に基づいて、１つの第２時間ユニットを決定し、前記１つの第２時間ユニットを利用してフィードバック情報を伝送し、前記フィードバック情報は前記複数の第１時間ユニットにおいて伝送されるデータに対するフィードバック情報であり、複数の時間ユニット（例えば、タイムスロット）のデータに対するフィードバックを実現することができる。
【図面の簡単な説明】
【００１５】
【図１】図１は本願実施例が提供する通信システムアーキテクチャの模式図である。
【図２】図２は本発明実施例が提供する無線通信方法の模式図である。
【図３】図３は本発明実施例が提供するＴＢ伝送の模式図である。
【図４】図４は本発明実施例が提供するＴＢ伝送の模式図である。
【図５】図５は本願実施例が提供する通信装置の模式的なブロック図である。
【図６】図６は本願実施例が提供する通信装置の模式的なブロック図である。
【図７】図７は本願実施例が提供するチップの模式的なブロック図である。
【図８】図８は本願実施例が提供する通信システムの模式図である。
【発明を実施するための形態】
【００１６】
以下は、本願実施例の図面を参照しながら、本願実施例における技術案を説明する。明らかに、説明される実施例は本願の一部実施例であり、全部の実施例ではない。本願における実施例に基づいて、当業者が創造的な労力を要することなく獲得した全ての他の実施例は、いずれも本願の保護する範囲に属する。
【００１７】
本願実施例の技術案は、各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇシステム等に適用できる。
【００１８】
例として、本願実施例に適用される通信システム１００は図１に示す通りである。該通信システム１００はネットワーク装置１１０を備えてもよく、ネットワーク装置１１０は端末装置１２０（又は通信端末、端末と称される）と通信する装置であってもよい。ネットワーク装置１１０は特定の地理的区域に通信カバレッジを提供でき、そして該カバレッジ区域内に位置する端末装置と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであり、又は、該ネットワーク装置は、モバイルスイッチングセンター、中継局、アクセスポイント、車載装置、ウェアラブルデバイス、コンセントレータ、交換機、ブリッジ、ルーター、５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００１９】
該無線通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブルを介して接続された装置、及び／又は他のデータ接続／ネットワーク、及び／又は無線インタフェース、例えば、セルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、ＤＶＢ−Ｈ  ネットワーク等のデジタルテレビネットワーク、衛星ネットワーク、ＡＭ−ＦＭ放送送信機を介して接続された装置、及び／又は他の端末デバイスの、通信信号を受信／送信するように設定された装置、及び／又はモノのインターネット（ＩｏＴ、Ｉｎｔｅｒｎｅｔ  ｏｆ  Ｔｈｉｎｇｓ）装置を含むが、それらには限らない。無線インタフェースを介して通信するように設定された端末装置は、「無線通信端末」、「無線端末」又は「モバイル端末」と称されてもよい。モバイル端末の例は、衛星又はセルラー方式の電話、セルラー無線電話とデータ処理、ファックス、及びデータ通信能力を有する個人通信システム（ＰＣＳ、Ｐｅｒｓｏｎａｌ  Ｃｏｍｍｕｎｉｃａｔｉｏｎｓ  Ｓｙｓｔｅｍ）が組み合わせられてもよい端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機が備えられてもよいＰＤＡ、及び通常のラップトップタイプ及び／又はパームトップタイプの受信機、又は無線電話送受信機が備えられた他の電子装置を含むが、それらには限らない。端末装置とは、アクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、モバイルデバイス、ユーザ端末、端末、無線通信装置、ユーザエージェント、又はユーザデバイスを指してもよい。アクセス端末は、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えたハンドヘルド装置、計算装置又は無線モデムに接続された他の処理装置、車載装置、ウェアラブル装置、５Ｇネットワークにおける端末装置又は将来進化するＰＬＭＮにおける端末装置等であってもよい。
【００２０】
選択肢として、端末装置１２０同士間で端末ダイレクト（Ｄ２Ｄ、Ｄｅｖｉｃｅ  ｔｏ  Ｄｅｖｉｃｅ）通信ができる。
【００２１】
選択肢として、５Ｇシステム又は５Ｇネットワークは更に新無線（ＮＲ、Ｎｅｗ  Ｒａｄｉｏ）システム又はＮＲネットワークと称されてもよい。
【００２２】
図２は本願実施例による無線通信方法２００の模式的なフローチャートである。該方法は通信装置によって実行され、該通信装置は端末装置であってもよく、ネットワーク装置であってもよい。
【００２３】
２１０では、通信装置は、データを伝送することに用いられる複数の第１時間ユニットにおける少なくとも１つの第１時間ユニットの時間領域位置に基づいて、１つの第２時間ユニットを決定する。
【００２４】
選択肢として、本願実施例では、該データはアップリンクデータであってもよく、該アップリンクデータは物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）において搬送されてもよく、該アップリンクデータはセミパーシステントスケジューリング（ＳＰＳ、Ｓｅｍｉ−Ｐｅｒｓｉｓｔｅｎｔ  Ｓｃｈｅｄｕｌｉｎｇ）でスケジューリングされ、又はダウンリンク制御情報（ＤＣＩ、Ｄｏｗｎｌｉｎｋ  Ｃｏｎｔｒｏｌ  Ｉｎｆｏｒｍａｔｉｏｎ）によって動的にスケジューリングされるものであってもよい。
【００２５】
この場合、端末装置は複数の第１時間ユニットを介してアップリンクデータを送信し、そして１つの第２時間ユニットにおいて該アップリンクデータに対するフィードバック情報を受信してもよい。又は、ネットワーク装置は複数の第１時間ユニットを介してアップリンクデータを受信し、そして１つの第２時間ユニットにおいて該アップリンクデータに対するフィードバック情報を送信してもよい。
【００２６】
選択肢として、本願実施例では、該データはダウンリンクデータであってもよく、該ダウンリンクデータはＰＤＳＣＨ（ＰＤＳＣＨ、Ｐｈｙｓｉｃａｌ  Ｄｏｗｎｌｉｎｋ  Ｓｈａｒｅｄ  Ｃｈａｎｎｅｌ）において搬送されてもよく、該ダウンリンクデータはＳＰＳでスケジューリングされ、又はＤＣＩによって動的にスケジューリングされるものであってもよい。
【００２７】
この場合、端末装置は複数の第１時間ユニットを介してダウンリンクデータを受信し、そして１つの第２時間ユニットにおいて該ダウンリンクデータに対するフィードバック情報を送信してもよい。又は、ネットワーク装置は複数の第１時間ユニットを介してダウンリンクデータを送信し、そして１つの第２時間ユニットにおいて該ダウンリンクデータに対するフィードバック情報を受信してもよい。
【００２８】
選択肢として、本願実施例では、該第１時間ユニットはシンボル、タイムスロット、サブタイムスロット、ハーフタイムスロット、又はサブフレームである。
【００２９】
本願実施例で言及されるハーフタイムスロットのシンボル数はタイムスロットに含まれるシンボル数の半分であってもよく、１つのタイムスロットは２つのハーフタイムスロットを含んでもよい。
【００３０】
本願実施例で言及されるサブタイムスロットは少なくとも１つのシンボルを含んでもよく、１つのタイムスロットは少なくとも１つのサブタイムスロットに分割されてもよい。
【００３１】
選択肢として、データの占有する複数の第１時間ユニットの間は、同じ粒度を有してもよく（例えば、２つのタイムスロットを占有する）、同じ粒度を有していなくてもよく（例えば、２つのタイムスロット＋２つのシンボルを占有する）、粒度は含まれるシンボル数によって表されてもよく、シンボル、タイムスロット、サブタイムスロット、ハーフタイムスロット又はサブフレーム等に分けられてもよい。
【００３２】
選択肢として、該複数の第１時間ユニットは複数の連続する第１時間ユニットである。例えば、図３又は４に示すように、連続する複数のタイムスロットを占有する。
【００３３】
当然ながら、本願実施例では、データを伝送する複数の第１時間ユニットは連続するものでなくてもよい。
【００３４】
例えば、データを伝送する複数の第１時間ユニットにおいて、隣接する２つの第１時間ユニットの間に少なくとも１つの時間ユニットの間隔がある、というのが存在する。
【００３５】
また例えば、データを伝送する複数の第１時間ユニットにおいて、各隣接する２つの第１時間ユニットの間に同じ数の時間ユニットの間隔がある。
【００３６】
選択肢として、本願実施例では、データを伝送することに用いられる該第１時間ユニットの数は端末装置に事前設定されたもの、又はネットワーク側が上位層シグナリング又は物理層シグナリングを介して端末装置に設定したものであってもよい。
【００３７】
選択肢として、本願実施例では、該第２時間ユニットはシンボル、タイムスロット、サブタイムスロット、ハーフタイムスロット、又はサブフレームである。
【００３８】
選択肢として、本願実施例では、該第１時間ユニットと該第２時間ユニットの粒度は同じである。
【００３９】
例えば、第１時間ユニットと第２時間ユニットは、いずれもタイムスロットであり、又はいずれもハーフタイムスロットである。
【００４０】
選択肢として、本願実施例では、該第１時間ユニットと該第２時間ユニットの粒度は異なる。
【００４１】
選択肢として、本願実施例では、通信装置は該複数の第１時間ユニットにおける最後の第１時間ユニットの時間領域位置に基づいて、該１つの第２時間ユニットを決定してもよい。
【００４２】
最後の第１時間ユニットの時間領域位置に基づいて、フィードバック情報を伝送することに用いられる１つの第２時間ユニットを決定する場合、より適切なフィードバック情報を伝送する第２時間ユニットを決定でき、第１時間ユニットの数によってフィードバック情報の伝送が影響されることを回避する。例えば、仮にデータを伝送する第１時間ユニットの数は可変であり、最後の第１時間ユニットと決定された１つの第２時間ユニットの間の時間ユニットの数は固定したものであり、そして仮に１番目の第１時間ユニットの時間領域位置でフィードバック情報を伝送する第２時間ユニットを決定する場合、もし第１時間ユニットの数が多すぎると、決定された第２時間ユニットが最後の第１時間ユニットに近すぎて（最後の第１時間ユニットよりも先となることもある）、フィードバック情報を伝送する時間は十分でなく、又は、もし第１時間ユニットの数が少なすぎると、決定された第２時間ユニットと最後の第１時間ユニットの間の時間ユニットの数が多すぎて、フィードバック情報を送信又は受信するのに比較的に長い時間を待つ必要がある。
【００４３】
しかし、理解されるように、本願実施例は最後の第１時間ユニットの時間領域位置で第２時間ユニットを決定することに限らず、例えば、後ろから２番目の第１時間ユニットで第２時間ユニットを決定してもよく、１番目の第１時間ユニットで第２時間ユニットを決定してもよい（この場合、第１時間ユニットの数は動的に調整されるものであってもよく、そして第１時間ユニットと第２時間ユニットの間の時間ユニットの数は動的に調整されるものであってもよく、又は、第１時間ユニットの数は固定したものであってもよく、そして第１時間ユニットと第２時間ユニットの間の時間ユニットの数は固定したものであってもよい）。
【００４４】
選択肢として、本願実施例では、該第１時間ユニットと該第２時間ユニットの粒度が異なる場合、該少なくとも１つの第１時間ユニットの所属する第２時間ユニットの時間領域位置に基づいて、該１つの第２時間ユニットを決定する。
【００４５】
フィードバック情報を伝送することに用いられる該１つの第２時間ユニットは第ｎ＋ｋ番目の第２時間ユニットであり、第ｎ番目の第２時間ユニットは該複数の第１時間ユニットにおける最後の第１時間ユニットの所属する第２時間ユニットであり、この場合、第１時間ユニットと第２時間ユニットに対応するサブキャリア間隔は同じであってもよく、該ｋとｎは非負整数である。
【００４６】
例えば、仮にデータは第１、２、３、及び４番目のハーフタイムスロットにおいて伝送され、第４番目のハーフタイムスロットは第２番目のタイムスロットに属し、Ｋは４つのタイムスロットである場合、フィードバック情報を伝送することに用いられる第２時間ユニットは第６番目目のタイムスロットである。
【００４７】
選択肢として、本願実施例では、該第１時間ユニットと該第２時間ユニットの粒度が同じである場合、フィードバック情報を伝送することに用いられる該１つの第２時間ユニットは第ｎ＋ｋ番目の第２時間ユニットであり、第ｎ番目の第２時間ユニットは該複数の第１時間ユニットにおける最後の第１時間ユニットであり、この場合、第１時間ユニットと第２時間ユニットに対応するサブキャリア間隔は同じであってもよく、該ｋとｎは非負整数である。
【００４８】
例えば、仮にデータは第１、２、３、及び４番目のタイムスロットにおいて伝送され、Ｋは４つのタイムスロットである場合、フィードバック情報を伝送することに用いられる第２時間ユニットは第８番目目のタイムスロットである。
【００４９】
理解されるように、上記は複数の第１時間ユニットにおける最後の第１時間ユニットの時間領域位置で第２時間ユニットを決定するのを例として説明したが、上記の例は他の第１時間ユニットにも適し、上記の例における最後の第１時間ユニットを他の第１時間ユニットに置換えさえすればよい。
【００５０】
選択肢として、本願実施例では、該第１時間ユニットと該第２時間ユニットのサブキャリア間隔は同じであってもよく、同じでなくてもよい。
【００５１】
通信装置は少なくとも１つの第１時間ユニットの時間領域位置、第１時間ユニットのサブキャリア間隔、及び第２時間ユニットのサブキャリア間隔に基づいて、１つの第２時間ユニットを決定してもよい。
【００５２】
以下は最後の第１時間ユニットの時間領域位置で第２時間ユニットを決定するのを例として、どのようにサブキャリア間隔及び時間ユニットの粒度を組み合わせて１つの第２時間ユニットを決定するかを説明する。
【００５３】
選択肢として、本願実施例では、フィードバック情報を伝送することに用いられる該１つの第２時間ユニットは（（ｎ＋Ｋ）２ａ／２ｂ）であってもよく、Ｋとｎのサブキャリア間隔の単位は一致を保ち、Ｋとｎはいずれも正の整数であり、ａは第２時間ユニットのサブキャリア間隔を表し、ｂは第１時間ユニットのサブキャリア間隔を表し、該第１時間ユニットと該第２時間ユニットの粒度が同じである場合、ｎはその中の１つの第１時間ユニット（例えば、最後の第１時間ユニット）の時間領域位置であり、該第１時間ユニットと第２時間ユニットの粒度が異なる場合、ｎはその中の１つの第１時間ユニット（例えば、最後の第１時間ユニット）の所属する第２時間ユニットの時間領域位置である。
【００５４】
理解されるように、数式（（ｎ＋Ｋ）２ａ／２ｂ）で第２時間ユニットを決定する以外に、他の方式で第２時間ユニットを決定してもよく、本願実施例はこれについて具体的な限定をしない。
【００５５】
選択肢として、本願実施例では、該方法は端末装置によって実行され、上記Ｋ（いずれか１箇所のＫを含んでもよい）は、プロトコルによって該端末装置上に事前設定され、又はネットワーク側の上位層パラメータを介して（上位層シグナリングにおいて搬送されてもよい）該端末装置に設定され、又はネットワーク側が物理層シグナリング、例えば、ダウンリンク制御情報（ＤＣＩ）を介して該端末装置に指示したものである。
【００５６】
選択肢として、本願実施例では、該方法はネットワーク装置によって実行され、ネットワーク装置は上位層パラメータを介して上記Ｋを該端末装置に設定し、又はネットワーク装置はＤＣＩを介して該Ｋを該端末装置に指示する。
【００５７】
選択肢として、ネットワーク装置は、上位層シグナリングと物理層シグナリングを組み合わせた方式で該Ｋを指示してもよい。
【００５８】
例えば、端末装置が無線リソース制御（ＲＲＣ、Ｒａｄｉｏ  Ｒｅｓｏｕｒｃｅ  Ｃｏｎｔｒｏｌ）シグナリングのＫのセットを受信していない場合、物理層シグナリングは事前定義されたセット、例えば、｛１，２，３，４，５，６，７，８｝の中から１つの値を指示する。ＲＲＣシグナリング設定のＫのセットを受信した場合、物理層シグナリングは上位層シグナリング設定のセットから１つの値を指示する。
【００５９】
２２０では、通信装置は該１つの第２時間ユニットを利用してフィードバック情報を伝送（受信又は送信であってもよい）し、該フィードバック情報は該複数の第１時間ユニットにおいて伝送されるデータに対するフィードバック情報である。
【００６０】
１つの実現方式では、該複数の第１時間ユニットは１つの伝送ブロック（ＴＢ、Ｔｒａｎｓｐｏｒｔ  Ｂｌｏｃｋ）を複数回繰り返し伝送することに用いられる。複数回繰り返しの伝送に使用されるリダンダンシ・バージョン（ＲＶ、Ｒｅｄｕｎｄａｎｃｙ  Ｖｅｒｓｉｏｎ）は同じであってもよく、同じでなくてもよい。複数回繰り返し伝送の元情報のビットは同じである。例えば、図３に示すように、ＴＢ１は４回伝送されている。
【００６１】
該フィードバック情報は１つの肯定応答（ＡＣＫ、Ａｃｋｎｏｗｌｅｄｇｅｍｅｎｔ）／否定応答（ＮＡＣＫ、Ｎｅｇａｔｉｖｅ  ＡＣＫｎｏｗｌｅｄｇｍｅｎｔ）を含み、該１つのＡＣＫ／ＮＡＣＫは該複数回伝送された１つのＴＢに対応する。１つのＡＣＫ／  ＮＡＣＫとは、ＡＣＫを送信するか、又はＮＡＣＫを送信することを意味する。
【００６２】
具体的に、端末装置は伝送されたＴＢを１回さえ受信すれば、ＡＣＫを送信してもよく、伝送されたＴＢを１回も受信していない場合、ＮＡＣＫを送信してもよく、又は、端末装置はＴＢを１回さえ受信していなければ、ＮＡＣＫを送信してもよく、各回に伝送されたＴＢをいずれも受信した場合、ＡＣＫをフィードバックする。
【００６３】
又は、該フィードバック情報は複数のＡＣＫ／ＮＡＣＫを含み、複数のＡＣＫ／ＮＡＣＫは、該ＴＢに含まれる複数のコードブロックグループ（ＣＢＧ、Ｃｏｄｉｎｇ  Ｂｌｏｃｋ  Ｇｒｏｕｐ）に１対１に対応する。
【００６４】
具体的に、あるＣＢＧについて、ある回に伝送されたＴＢで受信された場合、該ＣＢＧに対してＡＣＫを送信してもよく、いずれの回に伝送されたＴＢでも該ＣＢＧを受信していない場合、該ＣＢＧに対してＮＡＣＫを送信してもよく、又は、あるＣＢＧについて、ある回に伝送されたＴＢで受信されなかった場合、該ＣＢＧに対してＮＡＣＫを送信してもよく、いずれの回に伝送されたＴＢでも該ＣＢＧを受信した場合、該ＣＢＧに対してＮＡＣＫを送信してもよい。
【００６５】
１つの実現方式では、該複数の第１時間ユニットは１つの伝送ブロック（ＴＢ）の複数の部分を伝送することに用いられ、該複数の部分における各部分はそれぞれ１つの第１時間ユニットを占有する。該複数の部分の元情報のビットは異なる。例えば、図４に示すように、ＴＢ１は４つの部分に分割され、それぞれ４つの第１時間ユニット内において伝送される。
【００６６】
ＴＢの部分の分割はＴＢに含まれるＣＢＧの分割と同じであってもよく、例えば、各部分はそれぞれ１つのＣＢＧを含む。又は、ＴＢの部分の分割は含まれるＣＢＧの分割と異なってもよく、例えば、１つの部分に複数のＣＢＧ又は１つより少ないＣＢＧが含まれてもよい。ＴＢは複数の部分に平均に分割されてもよく、又は平均の方式を取らずに複数の部分に分割されてもよい。
【００６７】
該フィードバック情報に含まれるＡＣＫ／ＮＡＣＫは１つであり、該１つのＡＣＫ／ＮＡＣは該１つのＴＢに対応する。
【００６８】
具体的に、該複数の部分のいずれも正常に受信された場合、ＡＣＫをフィードバックしてもよく、少なくとも１つの部分が正常に受信されない場合、ＮＡＣＫをフィードバックする。
【００６９】
又は、該フィードバック情報は複数のＡＣＫ／ＮＡＣＫを含み、複数のＡＣＫ／ＮＡＣＫは、該ＴＢに含まれる複数のＣＢＧに１対１に対応する。
【００７０】
例えば、あるＣＢＧについて、正常に受信された場合、ＡＣＫをフィードバックしてもよく、正常に受信されていない場合、ＮＡＣＫをフィードバックしてもよい。
【００７１】
又は、該フィードバック情報に含まれるＡＣＫ／ＮＡＣＫは複数であり、複数のＡＣＫ／ＮＡＣＫは、該ＴＢに含まれる該複数の部分に１対１に対応する。
【００７２】
例えば、ある部分について、正常に受信された場合、ＡＣＫをフィードバックしてもよく、正常に受信されていない場合、ＮＡＣＫをフィードバックしてもよい。
【００７３】
理解されるように、本願実施例では、上記１つの第２時間ユニットは上記複数の第１時間ユニットにおいて伝送されるデータのフィードバック情報を送信できるほか、更に他の時間ユニットのデータのフィードバック情報も伝送できる。例えば、上記の方式で計算された他のＴＢ伝送で異なるＫが採用された場合、該他のＴＢのフィードバック情報も該１つの第２時間ユニットにおいて伝送される必要がある可能性がある。
【００７４】
従って、本願実施例では、データを伝送することに用いられる複数の第１時間ユニットにおける少なくとも１つの第１時間ユニットの時間領域位置に基づいて、１つの第２時間ユニットを決定し、前記１つの第２時間ユニットを利用してフィードバック情報を伝送し、前記フィードバック情報は前記複数の第１時間ユニットにおいて伝送されるデータに対するフィードバック情報であり、複数の時間ユニット（例えば、タイムスロット）のデータに対するフィードバックを実現することができる。
【００７５】
図５は本願実施例による通信装置３００の模式的なブロック図である。図５に示すように、該通信装置３００は処理ユニット３１０と通信ユニット３２０を備え、
前記処理ユニット３１０は、データを伝送することに用いられる複数の第１時間ユニットにおける少なくとも１つの第１時間ユニットの時間領域位置に基づいて、１つの第２時間ユニットを決定することに用いられ、
前記通信ユニット３２０は、前記１つの第２時間ユニットを利用してフィードバック情報を伝送し、前記フィードバック情報は前記複数の第１時間ユニットにおいて伝送されるデータに対するフィードバック情報であることに用いられる。
【００７６】
選択肢として、前記処理ユニット３１０は更に、
前記複数の第１時間ユニットにおける最後の第１時間ユニットの時間領域位置に基づいて、前記１つの第２時間ユニットを決定することに用いられる。
【００７７】
選択肢として、前記複数の第１時間ユニットは１つの伝送ブロック（ＴＢ）を複数回繰り返し伝送することに用いられる。
【００７８】
選択肢として、前記フィードバック情報は１つの肯定応答（ＡＣＫ）／否定応答（ＮＡＣＫ）を含み、前記１つのＡＣＫ／ＮＡＣＫは前記複数回繰り返し伝送された１つのＴＢに対応し、又は、
前記フィードバック情報は複数のＡＣＫ／ＮＡＣＫを含み、前記複数のＡＣＫ／ＮＡＣＫは、前記ＴＢに含まれる複数のコードブロックグループ（ＣＢＧ）に１対１に対応する。
【００７９】
選択肢として、前記複数の第１時間ユニットは１つの伝送ブロック（ＴＢ）の複数の部分を伝送することに用いられ、前記複数の部分における各部分はそれぞれ１つの第１時間ユニットを占有する。
【００８０】
選択肢として、前記フィードバック情報は１つのＡＣＫ／ＮＡＣＫを含み、前記１つのＡＣＫ／ＮＡＣＫは前記１つのＴＢに対応し、又は、
前記フィードバック情報は複数のＡＣＫ／ＮＡＣＫを含み、前記複数のＡＣＫ／ＮＡＣＫは、前記ＴＢに含まれる複数のＣＢＧに１対１に対応し、
前記フィードバック情報は複数のＡＣＫ／ＮＡＣＫを含み、前記複数のＡＣＫ／ＮＡＣＫは、前記ＴＢに含まれる前記複数の部分に１対１に対応する。
【００８１】
選択肢として、前記第１時間ユニットはシンボル、タイムスロット、サブタイムスロット、ハーフタイムスロット、又はサブフレームである。
【００８２】
選択肢として、前記第２時間ユニットはシンボル、タイムスロット、サブタイムスロット、ハーフタイムスロット、又はサブフレームである。
【００８３】
選択肢として、前記第１時間ユニットと前記第２時間ユニットの粒度は同じであり、又は、
前記第１時間ユニットと前記第２時間ユニットの粒度は異なる。
【００８４】
選択肢として、前記第１時間ユニットと前記第２時間ユニットの粒度が異なる場合、
前記処理ユニット３２０は更に、前記少なくとも１つの第１時間ユニットの所属する第２時間ユニットの時間領域位置に基づいて、前記１つの第２時間ユニットを決定することに用いられる。
【００８５】
選択肢として、フィードバック情報を伝送することに用いられる前記１つの第２時間ユニットは第ｎ＋ｋ番目の第２時間ユニットであり、第ｎ番目の第２時間ユニットは前記複数の第１時間ユニットにおける最後の第１時間ユニットの所属する第２時間ユニットである。
【００８６】
選択肢として、前記第１時間ユニットと前記第２時間ユニットの粒度が同じである場合、フィードバック情報を伝送することに用いられる前記１つの第２時間ユニットは第ｎ＋ｋ番目の第２時間ユニットであり、第ｎ番目の第２時間ユニットは前記複数の第１時間ユニットにおける最後の第１時間ユニットである。
【００８７】
選択肢として、前記通信装置は端末装置によって実行され、前記Ｋは、プロトコルによって前記端末装置上に事前設定され、又はネットワーク側の上位層パラメータを介して前記端末装置に設定され、又はネットワーク側が物理制御情報ＤＣＩを介して前記端末装置に指示したものである。
【００８８】
選択肢として、前記通信装置はネットワーク装置によって実行され、前記通信ユニット３２０は更に、
上位層パラメータを介して前記Ｋを前記端末装置に設定し、又は、
ＤＣＩを介して前記Ｋを前記端末装置に指示することに用いられる。
【００８９】
選択肢として、前記処理ユニット３１０は更に、
前記少なくとも１つの第１時間ユニットの時間領域位置、前記第１時間ユニットのサブキャリア間隔、及び前記第２時間ユニットのサブキャリア間隔に基づいて、前記１つの第２時間ユニットを決定することに用いられる。
【００９０】
選択肢として、前記複数の第１時間ユニットは複数の連続する第１時間ユニットである。
【００９１】
選択肢として、前記データはアップリンクデータであり、又は、
前記データはダウンリンクデータである。
【００９２】
理解されるように、該通信装置は上記の方法２００における端末装置に対応でき、該方法２００における端末装置の相応の動作を実現することができ、簡潔のために、ここでは繰り返し説明しない。
【００９３】
図６は本願実施例が提供する通信装置４００の模式的な構造図である。図４に示す通信装置４００はプロセッサ４１０を備え、プロセッサ４１０はコンピュータプログラムをメモリから呼び出して実行することができ、それによって本願実施例における方法を実現する。
【００９４】
選択肢として、図６に示すように、通信装置４００は更にメモリ４２０を備えてもよい。プロセッサ４１０はコンピュータプログラムをメモリ４２０から呼び出して実行することができ、それによって本願実施例における方法を実現する。
【００９５】
メモリ４２０はプロセッサ４１０から独立した１つの単独のデバイスであってもよく、プロセッサ４１０に集積されてもよい。
【００９６】
選択肢として、図６に示すように、通信装置４００は更に送受信機４３０を備えてもよく、プロセッサ４１０は該送受信機４３０が他の装置と通信するのを制御することができ、具体的には、他の装置に情報又はデータを送信し、又は他の装置から送信された情報又はデータを受信することができる。
【００９７】
送受信機４３０は送信機と受信機を備えてもよい。送受信機４３０は更にアンテナを備えてもよく、アンテナの数は１つ又は複数であってもよい。
【００９８】
選択肢として、該通信装置４００は具体的に本願実施例の第１通信装置であってもよく、そして該通信装置４００は本願実施例の各方法における第１装置によって実現される相応のプロセスを実現でき、簡潔のために、ここでは繰り返し説明しない。
【００９９】
選択肢として、該通信装置４００は具体的に本願実施例の第２通信装置であってもよく、そして該通信装置４００は本願実施例の各方法における第２装置によって実現される相応のプロセスを実現でき、簡潔のために、ここでは繰り返し説明しない。
【０１００】
図７は本願実施例のチップの模式的な構造図である。図７に示すチップ５００はプロセッサ５１０を備え、プロセッサ５１０はコンピュータプログラムをメモリから呼び出して実行することができ、それによって本願実施例における方法を実現する。
【０１０１】
選択肢として、図７に示すように、チップ５００は更にメモリ５２０を備えてもよい。プロセッサ５１０はコンピュータプログラムをメモリ５２０から呼び出して実行することができ、それによって本願実施例における方法を実現する。
【０１０２】
メモリ５２０はプロセッサ５１０から独立した１つの単独のデバイスであってもよく、プロセッサ５１０に集積されてもよい。
【０１０３】
選択肢として、該チップ５００は更に入力インタフェース５３０を備えてもよい。プロセッサ５１０は該入力インタフェース５３０が他の装置又はチップと通信するのを制御することができ、具体的には、他の装置又はチップから送信された情報又はデータを取得することができる。
【０１０４】
選択肢として、該チップ５００は更に出力インタフェース５４０を備えてもよい。プロセッサ５１０は該出力インタフェース５４０が他の装置又はチップと通信するのを制御することができ、具体的には、他の装置又はチップに情報又はデータを出力することができる。
【０１０５】
選択肢として、該チップは本願実施例における第１通信装置に適用されてもよく、そして該チップは本願実施例の各方法における第１装置によって実現される相応のプロセスを実現することができ、簡潔のために、ここでは繰り返し説明しない。
【０１０６】
選択肢として、該チップは本願実施例における第２通信装置に適用されてもよく、そして該チップは本願実施例の各方法における第２装置によって実現される相応のプロセスを実現することができ、簡潔のために、ここでは繰り返し説明しない。
【０１０７】
理解されるように、本願実施例で言及されるチップは更に、システムレベルチップ、システムチップ、チップシステム、又はシステムオンチップ等と称されてもよい。
【０１０８】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記のプロセッサは、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本願実施例に開示される各方法、ステップ及び論理ブロック図を実現又は実行することができる。汎用プロセッサはマイクロプロセッサであってもよく、又は該プロセッサは更に如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１０９】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。制限的ではなく、例示的な説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。なお、本明細書に説明されるシステム及び方法のメモリはこれらのメモリ及び任意の他の適切なタイプのメモリを含むが、これらに限らないように意図されている。
【０１１０】
理解されるように、上記メモリは例示的であって制限的なものではなく、例えば、本願実施例におけるメモリは更に、スタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。即ち、本発明実施例におけるメモリはこれらのメモリ及び任意の他の適切なタイプのメモリを含むが、これらに限らないように意図されている。
【０１１１】
図８は本願実施例が提供する通信システム６００の模式的なブロック図である。図８に示すように、該通信システム６００はネットワーク装置６１０と端末装置６２０を備える。
【０１１２】
該ネットワーク装置６１０は、上記の方法におけるネットワーク装置によって実現される相応の機能を実現することに用いられることができ、そして該端末装置６２０は上記の方法における端末装置によって実現される相応の機能を実現することに用いられることができ、簡潔のために、ここでは繰り返し説明しない。
【０１１３】
本願実施例は更にコンピュータ可読記憶媒体を提供し、コンピュータプログラムを記憶することに用いられる。
【０１１４】
選択肢として、該コンピュータ可読記憶媒体は本願実施例における第１装置に適用されてもよく、そして該コンピュータプログラムは、コンピュータに本願実施例の各方法における第１装置によって実現される相応のプロセスを実行させ、簡潔のために、ここでは繰り返し説明しない。
【０１１５】
選択肢として、該コンピュータ可読記憶媒体は本願実施例における第２装置に適用されてもよく、そして該コンピュータプログラムは、コンピュータに本願実施例の各方法における第２装置によって実現される相応のプロセスを実行させ、簡潔のために、ここでは繰り返し説明しない。
【０１１６】
本願実施例は更にコンピュータプログラム製品を提供し、コンピュータプログラム命令を含む。
【０１１７】
選択肢として、該コンピュータプログラム製品は本願実施例における第１装置に適用されてもよく、そして該コンピュータプログラム命令は、コンピュータに本願実施例の各方法における第１装置によって実現される相応のプロセスを実行させ、簡潔のために、ここでは繰り返し説明しない。
【０１１８】
選択肢として、該コンピュータプログラム製品は本願実施例における第２装置に適用されてもよく、そして該コンピュータプログラム命令は、コンピュータに本願実施例の各方法における第２装置によって実現される相応のプロセスを実行させ、簡潔のために、ここでは繰り返し説明しない。
【０１１９】
本願実施例は更にコンピュータプログラムを提供する。
【０１２０】
選択肢として、該コンピュータプログラムは本願実施例における第１装置に適用されてもよく、該コンピュータプログラムがコンピュータにおいて実行される時、該コンピュータは本願実施例の各方法における第１装置によって実現される相応のプロセスを実行し、簡潔のために、ここでは繰り返し説明しない。
【０１２１】
選択肢として、該コンピュータプログラムは本願実施例における第２装置に適用されてもよく、該コンピュータプログラムがコンピュータにおいて実行される時、該コンピュータは本願実施例の各方法における第２装置によって実現される相応のプロセスを実行し、簡潔のために、ここでは繰り返し説明しない。
【０１２２】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１２３】
当業者が明確に理解できるように、説明を容易且つ簡単にするために、上記説明されたシステム、装置及びユニットの具体的な動作過程は、前述の方法実施例における対応する過程を参照することができ、ここでは繰り返し説明しない。
【０１２４】
本願による幾つかの実施例において、理解されるように、開示されるシステム、装置及び方法は他の方式で実現されてもよい。例えば、上記の装置実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。尚、表示又は検討される相互間の結合又は直接結合又は通信接続は、幾つかのインタフェース、装置又はユニットを介した間接結合又は通信接続であってもよく、電気的、機械的、又は他の形態であってもよい。
【０１２５】
分離部材として説明された前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１２６】
また、本願の各実施例において、各機能ユニットは１つの処理ユニットに統合されてもよく、各ユニットは独立して物理的に存在してもよく、２つ又は２つ以上のユニットが１つのユニットに統合されてもよい。
【０１２７】
前記機能は、ソフトウェア機能ユニットの形で実現され、そして独立した製品として販売又は使用される場合、コンピュータ読み取り可能な記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１２８】
以上の説明は単に本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2021516496.tif 000003
【図２】
2021516496.tif 000004
【図３】
2021516496.tif 000005
【図４】
2021516496.tif 000006
【図５】
2021516496.tif 000007
【図６】
2021516496.tif 000008
【図７】
2021516496.tif 000009
【図８】
2021516496.tif 000010
【手続補正書】
【提出日】令和2年9月4日(2020.9.4)
【手続補正１】
【補正対象書類名】明細書
【補正対象項目名】０００９
【補正方法】変更
【補正の内容】
【０００９】
第４態様はチップを提供し、上記第１態様における方法を実現することに用いられる。
【手続補正２】
【補正対象書類名】明細書
【補正対象項目名】００１７
【補正方法】変更
【補正の内容】
【００１７】
本願実施例の技術案は、各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）システム、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇシステム等に適用できる。
【手続補正３】
【補正対象書類名】特許請求の範囲
【補正対象項目名】全文
【補正方法】変更
【補正の内容】
【特許請求の範囲】
【請求項１】
無線通信方法であって、
データを伝送することに用いられる複数の連続する第１タイムスロットにおける最後の第１タイムスロットの時間領域位置に基づいて、１つの第２タイムスロットを決定することと、
前記１つの第２タイムスロットを利用してフィードバック情報を伝送し、前記フィードバック情報は前記複数の第１タイムスロットにおいて伝送されるデータに対するフィードバック情報であることと、を含むことを特徴とする無線通信方法。
【請求項２】
前記複数の第１タイムスロットは１つの伝送ブロック（ＴＢ）を複数回繰り返し伝送することに用いられることを特徴とする請求項１に記載の方法。
【請求項３】
前記フィードバック情報は１つの肯定応答（ＡＣＫ）／否定応答（ＮＡＣＫ）を含み、前記１つのＡＣＫ／ＮＡＣＫは前記複数回繰り返し伝送された１つのＴＢに対応し、又は、
前記フィードバック情報は複数のＡＣＫ／ＮＡＣＫを含み、前記複数のＡＣＫ／ＮＡＣＫは、前記ＴＢに含まれる複数のコードブロックグループ（ＣＢＧ）に１対１に対応することを特徴とする請求項２に記載の方法。
【請求項４】
フィードバック情報を伝送することに用いられる前記１つの第２タイムスロットは第ｎ＋ｋ番目の第２タイムスロットであり、第ｎ番目の第２タイムスロットは前記複数の第１タイムスロットにおける最後の第１タイムスロットであることを特徴とする請求項１〜３のいずれか１項に記載の方法。
【請求項５】
前記１つの第２タイムスロットは第（（ｎ＋Ｋ）２ａ／２ｂ）番目のタイムスロットであり、Ｋとｎはいずれも正の整数であり、ａは前記第２タイムスロットのサブキャリア間隔を表し、ｂは前記第１タイムスロットのサブキャリア間隔を表し、ｎは前記複数の連続する第１タイムスロットにおける最後の第１タイムスロットの時間領域位置であることを特徴とする請求項１〜３のいずれか１項に記載の方法。
【請求項６】
前記方法は端末装置によって実行され、前記Ｋは、プロトコルによって前記端末装置上に事前設定され、又はネットワーク側の上位層パラメータを介して前記端末装置に設定され、又はネットワーク側が物理制御情報（ＤＣＩ）を介して前記端末装置に指示したものであることを特徴とする請求項４又は５に記載の方法。
【請求項７】
通信装置であって、処理ユニットと通信ユニットを備え、
前記処理ユニットは、データを伝送することに用いられる複数の連続する第１タイムスロットにおける最後の第１タイムスロットの時間領域位置に基づいて、１つの第２タイムスロットを決定することに用いられ、
前記通信ユニットは、前記１つの第２タイムスロットを利用してフィードバック情報を伝送し、前記フィードバック情報は前記複数の第１タイムスロットにおいて伝送されるデータに対するフィードバック情報であることに用いられることを特徴とする通信装置。
【請求項８】
前記複数の第１タイムスロットは１つの伝送ブロック（ＴＢ）を複数回繰り返し伝送することに用いられることを特徴とする請求項７に記載の通信装置。
【請求項９】
前記フィードバック情報は１つの肯定応答（ＡＣＫ）／否定応答（ＮＡＣＫ）を含み、前記１つのＡＣＫ／ＮＡＣＫは前記複数回繰り返し伝送された１つのＴＢに対応し、又は、
前記フィードバック情報は複数のＡＣＫ／ＮＡＣＫを含み、前記複数のＡＣＫ／ＮＡＣＫは、前記ＴＢに含まれる複数のコードブロックグループ（ＣＢＧ）に１対１に対応することを特徴とする請求項８に記載の通信装置。
【請求項１０】
フィードバック情報を伝送することに用いられる前記１つの第２タイムスロットは第ｎ＋ｋ番目の第２タイムスロットであり、第ｎ番目の第２タイムスロットは前記複数の第１タイムスロットにおける最後の第１タイムスロットであることを特徴とする請求項７〜９のいずれか１項に記載の通信装置。
【請求項１１】
前記１つの第２タイムスロットは第（（ｎ＋Ｋ）２ａ／２ｂ）番目のタイムスロットであり、Ｋとｎはいずれも正の整数であり、ａは前記第２タイムスロットのサブキャリア間隔を表し、ｂは前記第１タイムスロットのサブキャリア間隔を表し、ｎは前記複数の連続する第１タイムスロットにおける最後の第１タイムスロットの時間領域位置であることを特徴とする請求項７〜９のいずれか１項に記載の通信装置。
【請求項１２】
前記通信装置は端末装置によって実行され、前記Ｋは、プロトコルによって前記端末装置上に事前設定され、又はネットワーク側の上位層パラメータを介して前記端末装置に設定され、又はネットワーク側が物理制御情報ＤＣＩを介して前記端末装置に指示したものであることを特徴とする請求項１０又は１１に記載の通信装置。
【請求項１３】
通信装置であって、プロセッサ及びメモリを備え、該メモリはコンピュータプログラムを記憶することに用いられ、前記プロセッサは前記メモリに記憶されるコンピュータプログラムを呼び出して実行し、前記通信装置に請求項１〜６のいずれか１項に記載の方法を実行させることに用いられることを特徴とする通信装置。
【請求項１４】
チップであって、メモリからコンピュータプログラムを呼び出して実行し、それによって、前記チップを搭載した装置に請求項１〜６のいずれか１項に記載の方法を実行させることに用いられるプロセッサを備えることを特徴とするチップ。
【請求項１５】
コンピュータ可読記憶媒体であって、コンピュータプログラムを記憶することに用いられ、前記コンピュータプログラムはコンピュータに請求項１〜６のいずれか１項に記載の方法を実行させることを特徴とするコンピュータ可読記憶媒体。
【国際調査報告】
2021516496.tif 000011
2021516496.tif 000012
2021516496.tif 000013
2021516496.tif 000014